(57)【特許請求の範囲】
【請求項１】
軟質樹脂材で成るとともに蒸気噴出孔を備えている外側ホース、及び、この外側ホースの基端側の内部に位置している内側ホースを備え、前記内側ホースの基端側が蒸気供給口に連通し、前記内側ホースの先端側が前記外側ホースの内部に開口し、外側ホースと内側ホースとの間に、蒸気通路を内側ホースの前記先端側開口を介して内側ホースに連通している状態で設けてある土壌消毒ホース。
【請求項２】
前記蒸気噴出孔が前記外側ホースの周方向での一部にのみ設けられている請求項１記載の土壌消毒ホース。
【請求項３】
前記内側ホースが軟質樹脂材で作製されている請求項１又は２記載の土壌消毒用ホース。
【請求項４】
ロータリ耕耘装置によって耕耘処理するとともに請求項１〜３のいずれか１項に記載の土壌消毒ホースを埋設した後の耕耘済み土壌を土壌消毒ホースに沿って畝立て処理し、この畝立て処理後に前記土壌消毒ホースに前記蒸気供給口から蒸気を供給する土壌消毒方法。
【請求項５】
前記土壌消毒ホースが成形済み畝の底のレベルと同一又はほぼ同一のレベルに位置するようにして畝立て処理する請求項４記載の土壌消毒方法。
【発明の詳細な説明】
【０００１】
【発明の属する技術分野】
本発明は、土壌消毒ホースとこの土壌消毒ホースを使用する土壌消毒方法に関する。
【０００２】
【従来の技術】
野菜や花などの作物を栽培する土壌を水蒸気によって消毒すれば、臭化メチルを使用した場合の如く地球環境に悪影響が出ることを回避しながら消毒できる。土壌を蒸気消毒する場合、布製の消毒ホース、いわゆるキャンパスホースにあっては、土圧が掛かると、蒸気を供給してその圧力が掛かっても膨らまないことから、ホースを土壌に埋設して土壌に内部から蒸気を供給する消毒方法を採用することができない。これに対し、合成樹脂材で成る土壌消毒ホースにあっては、軟質樹脂材で成るホースであって、運搬したり敷設作業をする際、偏平化したコンパクトな状態になって狭いスペースに収納できるとか容易に取り扱えるものであっても、蒸気噴出孔を合理的に設けることにより、土圧が掛かっていても供給した蒸気の圧力で膨らむように構成でき、この結果、ホースを土壌に埋設して蒸気を土壌に内部から効率よく供給する消毒方法を採用することができる。
【０００３】
【発明が解決しようとする課題】
土壌消毒ホースの場合、ボイラに接続している蒸気供給口とは反対の先端側に至るほど、蒸気圧が低下し、蒸気の温度や噴出量が低下する。このため、先端側でも温度の高い蒸気が所要量で噴出するようにするには、ボイラに接続している蒸気供給口の方に高い蒸気圧が掛かる状態にして蒸気を供給する必要がある。そして、ホースが長くなるほど、蒸気供給口の方に作用する蒸気の圧力及び温度が高くなる。このため、軟質樹脂材で成るホースの場合、蒸気の圧力によっては、蒸気供給口の方で蒸気の高圧と高温とのために変形したり溶けて蒸気噴出孔が潰れるなどの事態が発生することがある。
この結果、従来、ホース長さを長くしても、先端側では蒸気が出にくくなるとともに蒸気温度が低くなり、ホースの長さの割には消毒処理の行える範囲が狭くなっていた。また、先端側でも高温度の蒸気が出やすいようにするには、ホース長さを短くする必要があることから、広い作付け面積の場合、消毒ホースを一度敷設しただけでは全体に蒸気が行き届かなくて数多くの区画に分けて消毒作業する必要があった。
【０００４】
本発明の目的は、作業箇所の面積が広くてもその面積の割には能率よく消毒作業できる土壌消毒ホース及び消毒方法を提供することにある。
【０００５】
【課題を解決するための手段】
請求項１による発明の構成、作用、効果はつぎのとおりである。
【０００６】
〔構成〕
請求項１による発明の土壌消毒ホースにあっては、軟質樹脂材で成るとともに蒸気噴出孔を備えている外側ホース、及び、この外側ホースの基端側の内部に位置している内側ホースを備え、前記内側ホースの基端側が蒸気供給口に連通し、前記内側ホースの先端側が前記外側ホースの内部に開口し、外側ホースと内側ホースとの間に、蒸気通路を内側ホースの前記先端側開口を介して内側ホースに連通している状態で設けてある。
【０００７】
〔作用〕
蒸気供給口をボイラに接続して蒸気供給すれば、蒸気供給口に供給された蒸気が内側ホースに導入されてこの内側ホースの内部を先端側に流動し、内側ホースの先端側開口から出た蒸気が、外側ホースを先端側に流動し、かつ、内側ホースと外側ホースの間の蒸気通路を通って外側ホースの基端側に流動し、外側ホースの各蒸気噴出孔から外部に噴出する。これにより、外側ホースにはこれの基端側から先端側にわたり、内側ホースを出た後の蒸気であって蒸気供給口に流入したときよりも蒸気圧及び温度が低下した蒸気が作用する。内側ホースとして外側ホースと同じ軟質樹脂材で成るホースを採用し、内側ホースに高い蒸気圧と温度によって変形が発生することがあっても、内側ホースには蒸気噴出孔が不要であるから蒸気供給を支障なく行えるのであり、外側ホースの先端側で噴出させる蒸気の温度などを考慮して内側ホースの長さを適切に設定しておくことにより、外側ホースの長さを長くしても、蒸気がホースに供給されたときの高い蒸気圧及び温度が外側ホースに作用しないようにしながら、外側ホースの基端側から先端側にわたって蒸気が土壌消毒に適切な温度及び噴出量で噴出するようにできる。
【０００８】
〔効果〕
したがって、外側ホースが軟質樹脂材で成り、偏平化させて狭いスペースに収容したり容易に取り扱うなどができるものでありながら、ボイラから送り込まれた当初の高い蒸気圧及び温度が内側ホースの緩衝作用によって外側ホースに作用しないようにしながら蒸気を供給し、外側ホースの長さの割には、外側ホースに蒸気の圧力や温度による変形が発生しにくいようにしながら外側ホースの基端側から先端側にわたって蒸気を適切な温度及び噴出量で噴出させられるものになり、作業箇所の面積が広い場合でも、消毒ホースを全体に行き届くように敷設するとともに全体にわたって蒸気を適切な温度で供給するとか、複数区画に分ける必要があっても全体の面積の割には区画数を少なく済ませて能率よく消毒作業できる。
【０００９】
請求項２による発明の構成、作用、効果はつぎのとおりである。
【００１０】
〔構成〕
請求項１による発明の構成において、前記蒸気噴出孔が前記外側ホースの周方向での一部にのみ設けられている。
【００１１】
〔作用〕
蒸気噴出孔が外側ホースの全周にわたって設けたものの場合、蒸気が外部に噴出しやすくて蒸気によるホース内圧が上昇しにくくなる。すると、外側ホースを偏平化したままの状態で埋設した後に、蒸気を供給しても、外側ホースが土圧のために膨らみにくくなる。これに対し、蒸気噴出孔が外側ホースの周方向での一部にのみ設けられているものだから、蒸気を供給した場合のホース内圧が上昇しやすくなり、外側ホースを偏平化したままの状態で埋設した後に蒸気を供給しても、外側ホースが土を押し上げながら膨らむようにでき、消毒ホースを偏平状態のままで所定深さまで一気に埋設することができる。
【００１２】
〔効果〕
したがって、消毒ホースを偏平状態のままで所定深さまで一気に埋設し、埋設作業の面からも消毒作業を能率よく行える。
【００１３】
請求項３による発明の構成、作用、効果はつぎのとおりである。
【００１４】
〔構成〕
請求項１による発明の構成において、前記内側ホースが軟質樹脂材で作製されている。
【００１５】
〔作用〕
内側ホースも蒸気を供給しない自由状態では偏平化するようにできるものである。
【００１６】
〔効果〕
したがって、消毒ホースを運搬するとか敷設する際、消毒ホースを外側ホースだけで成る部分の他に、外側ホースと内側ホースとで二重構造になっている部分でも偏平化したコンパクな状態とし、一層狭いスペースに収納するとか容易に取り扱うことができる。
【００１７】
請求項４による発明の構成、作用、効果はつぎのとおりである。
【００１８】
〔構成〕
請求項４による土壌消毒方法にあっては、ロータリ耕耘装置によって耕耘処理するとともに請求項１〜３のいずれか１項に記載の土壌消毒ホースを埋設した後の耕耘済み土壌を土壌消毒ホースに沿って畝立て処理し、この畝立て処理後に前記土壌消毒ホースに前記蒸気供給口から蒸気を供給する。
【００１９】
〔作用〕
ロータリ耕耘装置によって耕耘処理し、かつ、土壌消毒ホースに沿って畝立て処理した状態にある土壌に土壌消毒ホースが埋没しており、このホースに蒸気を供給するものだから、消毒ホースを埋設している土壌が空気の混入した状態になっており、かつ、その土壌の盛り具合や表面積が適切なものになっており、消毒ホースに蒸気を供給するに伴い、外側ホースが蒸気圧で土壌を容易に押し上げて膨らむようにでき、かつ、消毒ホースから噴出した蒸気が消毒ホースを埋めている土壌の全体にわたって容易に浸透していくようにできる。
【００２０】
〔効果〕
したがって、外側ホースが蒸気によって確実に膨らんで必要量の蒸気を確実かつ迅速に送り込むとともに、消毒ホースから噴出した蒸気が消毒対象の土壌の全体にわたって迅速かつ確実に浸透して消毒効果の高い消毒作業を能率よく行える。
【００２１】
請求項５による発明の構成、作用、効果はつぎのとおりである。
【００２２】
〔構成〕
請求項４による発明の構成において、前記土壌消毒ホースが成形済み畝の底のレベルと同一又はほぼ同一のレベルに位置するようにして畝立て処理する。
【００２３】
〔作用〕
土壌消毒ホースが成形済み畝の底のレベルと同一又はほぼ同一のレベルに位置するようにして畝立て処理するものだから、消毒ホースを埋設している土壌の盛り具合や表面積が適切なものになり、消毒ホースから噴出した蒸気が消毒ホースを埋めている土壌の全体にわたってより容易かつ迅速に浸透していくようにできる。
【００２４】
〔効果〕
したがって、消毒ホースから噴出した蒸気が消毒対象の土壌の全体にわたってより迅速かつ確実に浸透してより能率よく消毒作業を行える。
【００２５】
【発明の実施の形態】
図１に示すように、接続カプラ１が基端側に連結し、先端側が閉塞部２で閉じられているとともに約５０ｍの長さＬ１を備えている外側ホース３と、この外側ホース３の基端側の内部に位置しているとともに約３ｍの長さＬ２を備えている内側ホース４とにより、土壌消毒ホース５を構成してある。
【００２６】
この土壌消毒ホース５は、図７に示すように、野菜や花などの作物を栽培する土壌１０に接続カプラ１が土壌１０から出た状態にして埋設するとともに、接続カプラ１によって接続した蒸気分配管１１と、この蒸気分配管１１の蒸気導入口１１ａから延出している蒸気供給ホース１２とを介してボイラー１３の蒸気吐出口１３ａに接続し、このボイラー１３によって供給される約１１０度Ｃの水蒸気を、蒸気供給ホース１２と蒸気分配管１１とによって接続カプラ１の開口で成る蒸気供給口６に導入し、この蒸気供給口６から外側ホース３の内部に送り込んでこの外側ホース３の長手方向に並んでいる複数の蒸気噴出孔７から噴出させ、土壌１０を蒸気による加熱によって消毒するものであり、詳しくは、次の如く構成してある。
【００２７】
外側ホース３は、図２、図３などに示す如く軟質樹脂材の一例としてのポリプロピレン樹脂材で成る樹脂シートによって作製してある。
すなわち、図４に示す如くポリプロピレン樹脂材で作製された織糸で成る樹脂布層２０と、この樹脂布層２０の両面側に設けられたポリプロピレン樹脂材で成る樹脂膜層２１とで成り、約０．５ｍｍの厚さ、及び、約１２０度Ｃの耐熱温度を備えた樹脂シートを所定の形状及び大きさに截断し、この截断樹脂シートの両端部を１．０〜１．５ｍｍの太さのミシン針による図５（イ）の如き縫合２５によって連結して、その樹脂シートを筒状に形成することによって作製してある。前記樹脂シートの外側ホース３の先端側を形成している端部をミシン縫合によって連結することにより、外側ホース３の先端側の前記閉塞部２を構成してある。
【００２８】
図５（イ）などに示すように、外側ホース３の前記複数の蒸気噴出孔７は、外側ホース３の長手方向に沿っている前記ミシン縫合２５のミシン目によって構成してある。これにより、複数の蒸気噴出孔７は、外側ホース３の周方向での一部のみにおいて、５〜８ｍｍのピッチで外側ホース３の長手方向に外側ホース３の全長にわたって一列に並んでいる。
【００２９】
図１（ロ）、図３（イ）などに示すように、外側ホース３の周方向での２箇所に、外側ホース３の全長にわたっている偏平保形部２６を設けてある。
図５（ロ）に示すように、各偏平保形部２６は、外側ホース３を作製している前記樹脂シートの折り重なり部を、ミシン縫合２７し、さらに、このミシン縫合２７が加熱範囲に入るようにして電気式加熱手段によって加熱処理してミシン目が閉塞された状態に溶着２８させて、その折り重なり状態に連結することによって構成してあり、外側ホース３が内圧の掛かっていない自由状態になれば図３  （イ）に示す如く偏平化した状態になるように外側ホース３に偏平保形力を与えている。
【００３０】
内側ホース４は、図３（ロ）に示すように、外側ホース３を作製している樹脂シートと同一のポリプロピレン樹脂材で成るとともに同一の構成を備え、所定の形状及び大きさに截断された樹脂シートの両端部を、図６の如くミシン縫合３０し、さらに、このミシン縫合３０が加熱範囲に入るようにして電気式加熱手段によって加熱処理してミシン目が閉塞された状態に溶着３１させて連結して、その樹脂シートを筒状に形成することによって作製してある。
【００３１】
図２などに示すように、内側ホース４の基端側は、前記接続カプラ１の前記蒸気供給口６が位置する側とは反対側の端部に外側ホース３の基端側が連結している筒部１ａより外径が小さい筒部を形成することによって設けてあるホース連結部１ｂに外嵌していることにより、土壌消毒ホース５の前記蒸気供給口６に連通している。内側ホース４の先端側の開口４ａは、外側ホース３の内部に開口している。
【００３２】
外側ホース３は、供給された蒸気のために内部圧が上昇して偏平化状態から膨らむと、内径Ｄ１が約１００ｍｍになるように作製し、内側ホース４は、供給された蒸気のために内部圧が上昇して偏平化状態から膨らむと、内径Ｄ２が約７０ｍｍになるように作製してあることにより、蒸気が供給された状態では、内側ホース４と外側ホース３との間に内側ホース４の全周囲にわたる環状の蒸気通路３５が形成されるとともに、この蒸気通路３５は、内側ホース４の先端側開口４ａを介して内側ホース４に連通し、内側ホース４からの蒸気を外側ホース３の内側ホース４の外側に位置している基端側部分の蒸気噴出孔７に流動させるようになっている。
【００３３】
これにより、土壌消毒ホース５は、蒸気が供給されなくて内部圧が掛かっていない自由状態にあると、外側ホース３も内側ホース４も軟質樹脂材で成っていることにより、さらに外側ホース３の各偏平保形部２６が保形作用することにより、図３に示す如く外側ホース３も内側ホース４も偏平化した非作業状態になり、コンパクトに巻き取り回収して狭いスペースに収納したり容易に取り扱うことができる。
【００３４】
そして、土壌消毒する場合、ボイラ１３からの蒸気を次の如く土壌に供給する。
すなわち、蒸気供給口６に供給された蒸気を内側ホース４に導入し、この時の高い蒸気圧及び温度が外側ホース３に作用しないように内側ホース４の内部を先端側に流動させ、内側ホース４の先端側開口４ａから出て蒸気圧及び温度が導入時より低下した状態になった蒸気を、外側ホース３の先端側に流動させたり、内側ホース４と外側ホース３の間の蒸気通路３５を通して外側ホース３の基端側に流動させ、供給された蒸気による内部圧の上昇によって内側ホース４も外側ホース３も円形又はそれに近い状態に膨らんだ作業状態になるとともに、外側ホース３の各蒸気噴出孔７から蒸気を土壌に噴出させる。
【００３５】
次に、この土壌消毒ホース５を使用して土壌消毒するのに好適な消毒方法について説明する。
【００３６】
すなわち、先ず、図９（イ）に示すように、土壌１０をロータリ耕耘装置によって耕耘処理する。好ましくは、耕耘処理を行う前には１５ｃｍの盛り高さＨ１になっていた土壌が、耕耘処理を終えた後には、耕耘処理による砕土と空気混入とのために、２５〜３０ｃｍの盛り高さＨ２になるように耕耘処理したり、耕耘処理後の土壌の比重が約０．８になるように耕耘処理する。
【００３７】
この耕耘処理が終えると、図９（ロ）に示すように、耕耘済み土壌に溝１４を形成し、この溝１４に土壌消毒ホース５を約３０ｃｍの深さＡで埋設する。このとき、土壌消毒ホース５の外側ホース３の蒸気噴出孔７が土壌消毒ホース３の下側に位置するようにして、かつ、土壌消毒ホース５を複数本並べて埋設する場合には、土壌消毒ホース５が約６０ｃｍの間隔Ｓで並ぶようにして埋設する。すなわち、土壌消毒ホース５どうしの間隔Ｓが土壌消毒ホース５の埋設深さＡの約２倍になるようにして埋設する。
【００３８】
土壌消毒ホース５の埋設を終えると、図９（ハ）に示すように、土壌消毒ホース５に沿って山形の畝Ｂができるように畝立て処理を行う。このとき、好ましくは、土壌消毒ホース５が畝Ｂの底が位置するレベルと同一のレベルに位置するようにして畝立て処理を行う。このとき、レベル差が出ても、土壌消毒ホース５が膨らんだときの外側ホース３の直径の大きさに相当する大きさのレベル差にとどめることが好ましいのであり、この状態における土壌消毒ホース５の位置するレベルを、畝Ｂの底が位置するレベルとほぼ同一のレベルと称する。すなわち、畝Ｂどうしの間に畝Ｂに等しい又はそれに近い大きさ及び形状の空間Ｃができるように畝立て処理する。
【００３９】
この畝立て処理を終えると、図９（二）に示すように、土壌消毒ホース５に前記蒸気供給口６から蒸気を供給する。このとき、土壌消毒ホース５の先端における蒸気圧が約９．８ｋＰａになるようにして蒸気を供給する。
すると、図８に示すように、土壌に偏平状態で埋まっていた土壌消毒ホース５は、蒸気による内部圧のために土を押し上げながら膨らみ、外側ホース３も内側ホース４も膨らんだ作業用状態になって所定の断面積を備え、蒸気が所定の噴出量でスムーズに噴出していく。
【図面の簡単な説明】
【図１】（イ）は、土壌消毒ホースの一部切欠き状態での側面図、（ロ）は、土壌消毒ホースの横断面図
【図２】土壌消毒ホースの基端部と先端部とを示す側面図
【図３】（イ）は、外側ホースの一部の偏平化状態での斜視図、（ロ）は、内側ホースの一部の偏平化状態での斜視図
【図４】樹脂シートの断面図
【図５】（イ）は、外側ホースのミシン縫合を示す断面図、（ロ）は、外側ホースの偏平保形部を示す断面図、
【図６】内側ホースの連結部の断面図
【図７】消毒要領を示す説明図
【図８】消毒要領を示す断面図
【図９】消毒要領を示す説明図
【符号の説明】
３          外側ホース
４          内側ホース
４ａ        内側ホースの先端開口
６          蒸気供給口
７          蒸気噴出孔
１０        土壌
３５        蒸気通路
【図１】
0004004821.tif 000002
【図２】
0004004821.tif 000003
【図３】
0004004821.tif 000004
【図４】
0004004821.tif 000005
【図５】
0004004821.tif 000006
【図６】
0004004821.tif 000007
【図７】
0004004821.tif 000008
【図８】
0004004821.tif 000009
【図９】
0004004821.tif 000010